(57)【特許請求の範囲】
【請求項１】
展示部を構成する展示パネルの展示面に、該展示部に陳列する商品の半円筒周面と対応する曲率半径にフィルム状の見本体を湾曲して固定した後、該見本体の一端側開口部に見本矯正板を嵌合して商品と対応する曲率半径に矯正する展示用見本であって、
上記展示パネルの展示面に上記見本矯正板の上下移動及び前後反転が許容される開口部を形成し、
上記開口部の両側縁部に沿って上記見本体の両側縁部を差込むための各差込み溝を形成すると共に、
上記見本矯正板の前部側に上記曲率半径の大きい見本体の一端側開口部と嵌合する半円形状の大径矯正部を形成し、該見本矯正板の後部側に上記曲率半径の小さい見本体の一端側開口部と嵌合する半円形状の小径矯正部を形成した
展示用見本。
【請求項２】
上記展示パネルの展示面に差込み固定した見本体の一端側開口部に、該見本体の曲率半径と対応する大きさに形成した見本矯正板の大径矯正部又は小径矯正部を選択して嵌合した
請求項１記載の展示用見本。
【請求項３】
展示部を構成する展示パネルの展示面に、該展示部に陳列する商品の半円筒周面と対応する曲率半径にフィルム状の見本体を湾曲して固定した後、該見本体の両端側開口部に見本矯正板を各々嵌合して商品と対応する曲率半径に矯正する展示用見本であって、
上記展示パネルの展示面に上記見本矯正板の上下移動及び前後反転が許容される開口部を形成し、
上記開口部の両側縁部に沿って上記見本体の両側縁部を差込むための各差込み溝を形成すると共に、
上記各見本矯正板の前部側に上記曲率半径の大きい見本体の一端側開口部と嵌合する半円形状の大径矯正部を形成し、該各見本矯正板の後部側に上記曲率半径の小さい見本体の一端側開口部と嵌合する半円形状の小径矯正部を形成した
展示用見本。
【請求項４】
上記展示パネルの展示面に差込み固定した見本体の両端側開口部に、該見本体の曲率半径と対応する大きさに形成した各見本矯正板の大径矯正部又は小径矯正部を選択して各々嵌合した
請求項３記載の展示用見本。
【請求項５】
上記見本矯正板の大径矯正部に上記曲率半径の大きい見本体の一端側周縁部に対して係止される大径係止部を形成し、
上記見本矯正板の小径矯正部に上記曲率半径の小さい見本体の一端側周縁部に対して係止される小径係止部を形成した
請求項１から４のいずれか一つに記載の展示用見本。
【発明の詳細な説明】
【０００１】
【産業上の利用分野】
この発明は、例えば、清涼飲料水、炭酸飲料水、ビール、コーヒ、お茶等の飲み物が充填された缶商品や瓶商品を販売する自動販売機に於いて、同自動販売機の展示部に商品見本を陳列するために用いられる展示用見本に関する。
【０００２】
【従来の技術】
従来、上述例のような缶商品を販売する自動販売機の展示用見本としては、例えば、販売機本体を構成する展示部の中央底面部に配設した展示パネルの水平展示面に、缶商品の周面形状と対応する大きさ及び形状に形成した円筒形状の展示用見本を嵌込み固定して陳列する第１従来例の展示用見本（実開平２−６３８２号公報）がある。また、展示部の中央正面部に配設した展示パネルの展示面に、缶商品の半周面形状と対応する大きさ及び形状に形成した半円筒形状の展示用見本を嵌込み固定して陳列する第２従来例の展示用見本（実開平２−３５２７３号公報）がある。
【０００３】
【発明が解決しようとする課題】
しかし、上述のように自動販売機の展示部に陳列された展示用見本と同じ缶商品を購入する場合、展示部に陳列された各展示用見本の色彩、模様、文字等を購入者が視認し、その各展示用見本の中から購入する缶商品を選択するため、缶商品の半周面形状と対応する大きさ及び形状に形成した半円筒形状の展示用見本を陳列することで、商品見本としての目的が達せられるが、第１従来例の展示用見本は、円筒形状を有する缶商品の周面形状と対応する大きさ及び形状に展示用見本を形成しなければならず、一個の展示用見本を製作するのに手間及び時間が掛かるため、単位個数当たり製作コストが高価となる問題点を有している。
【０００４】
一方、第２従来例の展示用見本は、展示パネルと展示用見本との対向面に形成した嵌込み構造が複雑であるため、商品見本の交換時に於いて、展示パネルと展示用見本とを互いに嵌め合わせることが難しく、展示用見本の取付け作業及び取外し作業に手間が掛かる。且つ、半円筒形状に展示用見本を一体成形した場合、成形時に於いて展示用見本に歪みや変形が生じやすく、所定形状に一体成形することが困難である。また、大径サイズ及び小径サイズの缶商品に対応して複数サイズの展示用見本を製作しなければならず、部品点数が多くなり、部品の取扱い及び管理が難しくなるという問題点を有している。
【０００５】
この発明は上記問題に鑑み、展示部を構成する展示パネルの展示面にフィルム状の見本体を湾曲して差込み固定した後、同見本体の一端側開口部に見本矯正板の大径矯正部又は小径矯正部を選択して嵌合することにより、商品と同一又は同等の立体感が得られると共に、展示用見本の交換作業が容易に行え、製作コストの低減を図ることができる展示用見本の提供を目的とする。
【０００６】
【課題を解決するための手段】
請求項１記載の発明は、展示部を構成する展示パネルの展示面に、該展示部に陳列する商品の半円筒周面と対応する曲率半径にフィルム状の見本体を湾曲して固定した後、該見本体の一端側開口部に見本矯正板を嵌合して商品と対応する曲率半径に矯正する展示用見本であって、上記展示パネルの展示面に上記見本矯正板の上下移動及び前後反転が許容される開口部を形成し、上記開口部の両側縁部に沿って上記見本体の両側縁部を差込むための各差込み溝を形成すると共に、上記見本矯正板の前部側に上記曲率半径の大きい見本体の一端側開口部と嵌合する半円形状の大径矯正部を形成し、該見本矯正板の後部側に上記曲率半径の小さい見本体の一端側開口部と嵌合する半円形状の小径矯正部を形成した展示用見本であることを特徴とする。
【０００７】
請求項２記載の発明は、上記請求項１記載の構成と併せて、上記展示パネルの展示面に差込み固定した見本体の一端側開口部に、該見本体の曲率半径と対応する大きさに形成した見本矯正板の大径矯正部又は小径矯正部を選択して嵌合した展示用見本であることを特徴とする。
【０００８】
請求項３記載の発明は、展示部を構成する展示パネルの展示面に、該展示部に陳列する商品の半円筒周面と対応する曲率半径にフィルム状の見本体を湾曲して固定した後、該見本体の両端側開口部に見本矯正板を各々嵌合して商品と対応する曲率半径に矯正する展示用見本であって、上記展示パネルの展示面に上記見本矯正板の上下移動及び前後反転が許容される開口部を形成し、上記開口部の両側縁部に沿って上記見本体の両側縁部を差込むための各差込み溝を形成すると共に、上記各見本矯正板の前部側に上記曲率半径の大きい見本体の一端側開口部と嵌合する半円形状の大径矯正部を形成し、該各見本矯正板の後部側に上記曲率半径の小さい見本体の一端側開口部と嵌合する半円形状の小径矯正部を形成した展示用見本であることを特徴とする。
【０００９】
請求項４記載の発明は、上記請求項３記載の構成と併せて、上記展示パネルの展示面に差込み固定した見本体の両端側開口部に、該見本体の曲率半径と対応する大きさに形成した各見本矯正板の大径矯正部又は小径矯正部を選択して各々嵌合した展示用見本であることを特徴とする。
【００１０】
請求項５記載の発明は、上記請求項１から４のいずれか一つに記載の構成と併せて、上記見本矯正板の大径矯正部に上記曲率半径の大きい見本体の一端側周縁部に対して係止される大径係止部を形成し、上記見本矯正板の小径矯正部に上記曲率半径の小さい見本体の一端側周縁部に対して係止される小径係止部を形成した展示用見本であることを特徴とする。
【００１１】
【作用】
請求項１記載の展示用見本は、展示パネルの展示面に形成した開口部を覆い隠しながら、同開口部の両側縁部に形成した各差込み溝に、商品の半円筒周面と対応する曲率半径に湾曲した見本体の両側縁部を差込むと共に、見本体の一端側開口部と対向して展示面の開口部に見本矯正板を挿入し、同見本体の一端側開口部に見本矯正板の大径矯正部又は小径矯正部を選択して嵌合することで、見本体が材料弾性により扁平状態に復元するのを阻止でき、大径サイズ及び小径サイズの商品と対応する曲率半径に見本体を矯正して、商品と同等の立体感を醸し出す。
【００１２】
請求項２記載の展示用見本は、上記請求項１記載の作用と併せて、展示パネルの展示面に差込み固定した見本体の一端側開口部に見本矯正板を嵌合すると共に、同見本体の一端側開口部に見本矯正板の大径矯正部又は小径矯正部を選択して嵌合することで、各サイズの商品と対応する曲率半径に見本体が矯正され、商品と同一又は同等の立体感を醸し出す。
【００１３】
請求項３記載の展示用見本は、展示パネルの展示面に形成した開口部を覆い隠しながら、同開口部の両側縁部に形成した各差込み溝に、商品の半円筒周面と対応する曲率半径に湾曲した見本体の両側縁部を差込むと共に、見本体の両端側開口部と対向して展示面の開口部に見本矯正板を各々挿入し、同見本体の両端側開口部に各見本矯正板の大径矯正部又は小径矯正部を選択して各々嵌合することで、見本体が材料弾性により扁平状態に復元するのを阻止でき、大径サイズ及び小径サイズの商品と対応する曲率半径に見本体全体を矯正して、商品と同等の立体感を醸し出す。
【００１４】
請求項４記載の展示用見本は、上記請求項３記載の作用と併せて、展示パネルの展示面に差込み固定した見本体の両端側開口部に各見本矯正板を各々嵌合すると共に、同見本体の両端側開口部に各見本矯正板の大径矯正部又は小径矯正部を選択して各々嵌合することで、各サイズの商品と対応する曲率半径に見本体全体が矯正され、商品と同一又は同等の立体感を醸し出す。
【００１５】
請求項５記載の展示用見本は、上記請求項１から４のいずれか一つに記載の作用と併せて、展示パネルの展示面に差込み固定した見本体の一端側開口部に見本矯正板の大径矯正部又は小径矯正部を選択して嵌合すると共に、大径矯正部に形成した大径係止部を曲率半径の大きい見本体の一端側周縁部に係止し、小径矯正部に形成した小径係止部を曲率半径の小さい見本体の一端側周縁部に係止することで、各サイズの商品と対応する曲率半径に見本体が矯正され、商品と同等の立体感を醸し出す。
【００１６】
【発明の効果】
この発明によれば、商品の半円筒周面と対応する曲率半径に湾曲した展示用見本の一端側開口部に、又は両端側開口部に見本矯正板の大径矯正部又は小径矯正部を選択して嵌合するので、一種類の見本矯正板を大径サイズ及び小径サイズに湾曲した展示用見本を矯正する部材として兼用することができ、従来例のように複数サイズの見本矯正板を製作する必要が無く、部品点数が少なくなり、部品の取扱い及び管理が容易に行える。しかも、商品の半円筒周面と対応する曲率半径にフィルム状の展示用見本を湾曲して差込み固定するので、従来例のように円筒形状の展示用見本を製作するよりも安価であり、製作コストの低減を図ることができると共に、商品の変更に対応して展示用見本の交換作業が容易に行える。
【００１７】
さらに、展示用見本が材料弾性により扁平状態に復元するのを阻止でき、商品の半円筒周面と対応する曲率半径に展示用見本が矯正されるため、商品と同一又は同等の立体感を醸し出すことができ、実物を陳列したときと同等のディスプレー効果が得られる。
【００１８】
【実施例】
図面は自動販売機により販売される缶商品と同一の色彩、模様、文字等を施した商品見本を陳列するときに用いられる第１実施例の展示用見本を示し、図１、図２、図３、図４に於いて、この展示用見本５は、自動販売機１を構成する販売機本体２の前面側上部に展示部３を形成し、同展示部３内に配設した展示パネル４の垂直展示面４ａに、複数個の各展示用見本５…を缶商品Ｋと対応する半円筒形状に湾曲して差込み固定した後、同各展示用見本５…の上端側開口部に大小兼用形の各見本矯正板６…を嵌込み固定し、同展示部３の前面側に透明樹脂製の防護カバー７を嵌込み固定して、同展示部３に陳列された複数個の各展示用見本５…を外側から視認可能に設けている。
【００１９】
上述した展示部３は、展示パネル４の垂直展示面４ａに大径サイズの缶商品Ｋと対応する横幅寸法であって、長尺寸法の缶商品Ｋよりも若干長尺形状の光導入口４ｂを開口し、同展示パネル４の垂直展示面４ａに沿って複数個の各光導入口４ｂ…を左右等間隔に隔てて開口し、同各光導入口４ｂ…の前面側に、各光導入口４ｂ…と合致する大きさ及び形状に形成した透明樹脂製の各支持枠８…を嵌込むと共に、各光導入口４ｂ…の裏面側上下縁部に各支持枠８…の上下縁部に形成した各係止片８ａ，８ａを係止して、各光導入口４ｂ…と各支持枠８…とを互いに接着固定又はネジ固定している。
【００２０】
且つ、各支持枠８…の前面側左右縁部に後述する展示用見本５の各差込み片５ｂ，５ｂを差込むための各差込み溝８ｂ，８ｂを上下方向に連続又は分割して形成し、各支持枠８…の左右縁部間に展示用見本５の各差込み片５ｂ，５ｂを差込みガイドするための各支持板８ｃ…を形成して、各支持枠８…の各差込み溝８ｂ，８ｂに対して長尺寸法及び短尺寸法に形成した展示用見本５の各差込み片５ｂ，５ｂが差込まれる方向に差込みガイドすると共に、各支持枠８…の各差込み溝８ｂ，８ｂよりも奥の方に展示用見本５の各差込み片５ｂ，５ｂが差込まれるのを防止している。なお、支持枠８の左右縁部全体を透明樹脂製の支持板８ｃで隠蔽するもよい。
【００２１】
且つ、各光導入口４ｂ…と対応する展示パネル４の水平展示面４ｃ上に、大径サイズの缶商品Ｋと対応する大きさ及び形状に形成した展示用見本５の下端側周縁部を係止するための係止突起４ｄと、小径サイズの缶商品Ｋと対応する大きさ及び形状に形成した展示用見本５の下端側周縁部を係止するための係止突起４ｅとを円弧形状又は半円形状に形成し、展示パネル４の垂直展示面４ａに形成した各光導入口４ｂ…の裏面側に、例えば、蛍光灯や白熱灯等の光源９を各光導入口４ｂ…と対向して配設している。
【００２２】
前述した展示用見本５は、例えば、プラスチック含浸紙、ポリ塩化ビニル、ポリエチレン、ポリエステル、ポリカーボネード等の透光性を有する材質により形成し、展示部３に陳列される複数サイズの缶商品Ｋの半円筒周面と対応する形状に可撓可能な厚みであって、同半円筒形状の缶商品Ｋを平面展開したときと対応する大きさ及び形状にフィルム状の見本体５ａを形成し、同見本体５ａの両側縁部を表面側に折曲げて上述した支持枠８の各差込み溝８ｂ，８ｂに差込むための各差込み片５ｂ，５ｂを形成すると共に、同見本体５ａの表面側に缶商品Ｋと同一の色彩、模様、文字等を印刷している。
【００２３】
前述の見本矯正板６は、例えば、プラスチック、ポリ塩化ビニル、ポリカーボネード等の合成樹脂により板本体６ａを形成し、同板本体６ａの前部側に大径サイズの缶商品Ｋと対応する曲率半径に展示用見本５の上端側開口部を矯正する大径半円形状の大径矯正部６ｂを一体形成し、同板本体６ａの後部側に小径サイズの缶商品Ｋと対応する曲率半径に展示用見本５の上端側開口部を矯正する小径半円形状の小径矯正部６ｃを一体形成し、各矯正部６ｂ，６ｃを各サイズの缶商品Ｋと対応する曲率半径に湾曲した展示用見本５の上端側開口部と合致する大きさ及び形状に形成している。且つ、各矯正部６ｂ，６ｃの下面側周縁部に沿って展示用見本５の上端側周縁部を係止するための各係止縁６ｄ，６ｅを連続形成又は部分形成し、大径矯正部６ｂの両側縁部に上述した支持枠８の各差込み溝８ｂ，８ｂに差込むための各差込み片６ｆ，６ｆを形成している。
【００２４】
図示実施例は上記の如く構成するものとして、以下、自動販売機１を構成する販売機本体２の展示部３内に複数サイズの各展示用見本５…を陳列するときの取付け方法を説明する。
【００２５】
先ず、大径サイズの缶商品Ｋと対応する大きさ及び形状に形成した長尺寸法及び短尺寸法の展示用見本５を陳列する場合、図２、図４、図５に示すように、大径サイズの缶商品Ｋと対応する曲率半径に長尺寸法及び短尺寸法の展示用見本５を湾曲して、展示パネル４の光導入口４ｂに固定した支持枠８の各差込み溝８ｂ，８ｂに展示用見本５の各差込み片５ｂ，５ｂを上方又は前方から差込み、展示パネル４の水平展示面４ｃに形成した大径側の係止突起４ｄに展示用見本５の下端側周縁部を係止する。続いて、展示パネル４の光導入口４ｂに見本矯正板６の小径矯正部６ｃ側を挿入すると共に、同光導入口４ｂに固定した支持枠８の各差込み溝８ｂ，８ｂに見本矯正板６の各差込み片６ｆ，６ｆを上方から差込み、展示用見本５の上端側開口部に見本矯正板６の大径矯正部６ｂを嵌合して、同大径矯正部６ｂに形成した係止縁６ｄを展示用見本５の上端側周縁部に係止することで、大径サイズの缶商品Ｋと対応する曲率半径に長尺寸法及び短尺寸法の展示用見本５が矯正される。
【００２６】
次に、小径サイズの缶商品Ｋと対応する大きさ及び形状に形成した長尺寸法及び短尺寸法の展示用見本５を陳列する場合、図６及び図７に示すように、小径サイズの缶商品Ｋと対応する曲率半径に長尺寸法及び短尺寸法の展示用見本５を湾曲して、展示パネル４の光導入口４ｂに固定した支持枠８の各差込み溝８ｂ，８ｂに展示用見本５の各差込み片５ｂ，５ｂを上方又は前方から差込み、展示パネル４の水平展示面４ｃに形成した小径側の係止突起４ｅに展示用見本５の下端側周縁部を係止する。続いて、展示パネル４の光導入口４ｂに見本矯正板６の大径矯正部６ｂ側を挿入すると共に、同光導入口４ｂに固定した支持枠８の各差込み溝８ｂ，８ｂに見本矯正板６の各差込み片６ｆ，６ｆを差込み、展示用見本５の上端側開口部に見本矯正板６の小径矯正部６ｃを嵌合して、同小径矯正部６ｃに形成した係止縁６ｅを展示用見本５の上端側周縁部に係止することで、小径サイズの缶商品Ｋと対応する曲率半径に長尺寸法及び短尺寸法の展示用見本５が矯正される。
【００２７】
つまり、展示用見本５の上端側開口部に嵌込み固定した見本矯正板６が缶商品Ｋの天板を疑似すると共に、展示用見本５の上下端部が材料弾性により扁平状態に復元するのを阻止し、缶商品Ｋの半円筒周面と対応する同一曲率半径に展示用見本５を矯正しているので、缶商品Ｋと同等の立体感を醸し出すことができる。且つ、展示パネル４の垂直展示面４ａに形成した光導入口４ｂを介して、光源９から投光される光を展示用見本５内に導光することで、展示パネル４に陳列した各展示用見本５…が缶商品Ｋの半円筒周面と同一形状に保持されているため、各展示用見本５…が立体的に発光し、実物の缶商品Ｋを照光したときと同等のディスプレー効果が得られる。
【００２８】
以上のように、缶商品Ｋの半円筒周面と対応する曲率半径に湾曲した展示用見本５の一端側開口部に見本矯正板６の大径矯正部６ｂ又は小径矯正部６ｃを選択して嵌合するので、一つの見本矯正板６を大径サイズ及び小径サイズに湾曲した展示用見本５を矯正する部材として兼用することができ、従来例のように複数サイズの見本矯正板６を製作する必要が無く、部品点数が少なくなり、部品の取扱い及び管理が容易に行える。しかも、缶商品Ｋの半円筒周面と対応する曲率半径に展示用見本５を湾曲して差込み固定するので、従来例のように円筒形状の展示用見本５を製作するよりも安価であり、製作コストの低減を図ることができると共に、缶商品Ｋの変更に対応して展示用見本５の交換作業が容易に行える。
【００２９】
しかも、展示パネル４の垂直展示面４ａに取付けた展示用見本５の上端側開口部に見本矯正板６を嵌込み固定することで、展示用見本５の上端側に嵌込み固定した見本矯正板６が缶商品Ｋの天板を疑似すると共に、展示された展示用見本５が材料弾性により扁平状態に復元するのを阻止でき、缶商品Ｋの半円筒周面と対応する曲率半径に展示用見本５が矯正されるため、缶商品Ｋと同等の立体感を醸し出すことができ、実物の缶商品Ｋを陳列したときと同等のディスプレー効果が得られる。
【００３０】
図８は展示パネル４の水平展示面４ｃに形成した大径側の係止溝４ｆ又は小径側の係止溝４ｇに、缶商品Ｋの半円筒周面と対応する曲率半径に湾曲した見本体５ａの下端側周縁部を係止する第２実施例の展示用見本５を示し、つまり、展示パネル４の光導入口４ｂに固定した支持枠８の各差込み溝８ｂ，８ｂに、大径サイズ又は小径サイズの缶商品Ｋと対応する大きさ及び形状に形成した長尺寸法の展示用見本５を湾曲して差込み、展示パネル４の水平展示面４ｃに形成した大径側の係止溝４ｆ又は小径側の係止溝４ｇに、大径サイズ又は小径サイズに湾曲した展示用見本５の下端側周縁部を係止する。続いて、展示パネル４の光導入口４ｂに固定した支持枠８の各差込み溝８ｂ，８ｂに見本矯正板６を差込み、大径サイズ又は小径サイズに湾曲した展示用見本５の上端側開口部に見本矯正板６の大径矯正部６ｂ又は小径矯正部６ｃを嵌合することで、第１実施例と同様に、各サイズの缶商品Ｋと対応する曲率半径に展示用見本５を矯正できる。
【００３１】
また、展示パネル４の光導入口４ｂに固定した支持枠８の各差込み溝８ｂ，８ｂに、大径サイズ又は小径サイズの缶商品Ｋと対応する大きさ及び形状に形成した短尺寸法の展示用見本５を湾曲して差込み、展示パネル４の水平展示面４ｃに形成した大径側の係止溝４ｆ又は小径側の係止溝４ｇに、大径サイズ又は小径サイズに湾曲した展示用見本５の下端側周縁部を係止することで、上述と同様に、各サイズの缶商品Ｋと対応する曲率半径に展示用見本５を矯正できる。
【００３２】
図９は缶商品Ｋの半円筒周面と対応する曲率半径に湾曲した見本体５ａの上端側周縁部に、見本矯正板６の大径矯正部６ｂに形成した係止溝６ｇ又は小径矯正部６ｃに形成した係止溝６ｈを係止する第３実施例の展示用見本５を示し、つまり、展示パネル４の光導入口４ｂに固定した支持枠８の各差込み溝８ｂ，８ｂに、大径サイズ又は小径サイズの缶商品Ｋと対応する大きさ及び形状に形成した長尺寸法の展示用見本５を湾曲して差込み、展示パネル４の水平展示面４ｃに形成した各係止突起４ｄ，４ｅ又は各係止溝４ｆ，４ｇに、大径サイズ又は小径サイズに湾曲した展示用見本５の下端側周縁部を係止する。続いて、展示パネル４の光導入口４ｂに固定した支持枠８の各差込み溝８ｂ，８ｂに見本矯正板６を差込み、大径サイズ又は小径サイズに湾曲した展示用見本５の上端側開口部に見本矯正板６の大径矯正部６ｂ又は小径矯正部６ｃを嵌合して、展示用見本５の上端側周縁部に見本矯正板６の大径矯正部６ｂに形成した係止溝６ｇ又は小径矯正部６ｃに形成した係止溝６ｈを係止することで、第１実施例と同様に、各サイズの缶商品Ｋと対応する曲率半径に展示用見本５を矯正できる。
【００３３】
また、展示パネル４の光導入口４ｂに固定した支持枠８の各差込み溝８ｂ，８ｂに、大径サイズ又は小径サイズの缶商品Ｋと対応する大きさ及び形状に形成した短尺寸法の展示用見本５を湾曲して差込み、同大径サイズ又は小径サイズに湾曲した展示用見本５の上端側周縁部に、見本矯正板６の大径矯正部６ｂに形成した係止溝６ｇ又は小径矯正部６ｃに形成した係止溝６ｈを係止することで、上述と同様に、各サイズの缶商品Ｋと対応する曲率半径に展示用見本５を矯正できる。
【００３４】
図１０は缶商品Ｋの半円筒周面と対応する曲率半径に湾曲した見本体５ａの両端側開口部に各見本矯正板６，６を嵌込み固定する第４実施例の展示用見本５を示し、つまり、展示パネル４の光導入口４ｂに固定した支持枠８の各差込み溝８ｂ，８ｂに底板用の見本矯正板６を上下反転して差込み、同支持枠８の各差込み溝８ｂ，８ｂに大径サイズ又は小径サイズの缶商品Ｋと対応する大きさ及び形状に形成した展示用見本５を湾曲して差込み、同支持枠８の各差込み溝８ｂ，８ｂに天板用の見本矯正板６を反転せずに差込み、大径サイズ又は小径サイズに湾曲した展示用見本５の両端側開口部に各見本矯正板６，６の各大径矯正部６ｂ，６ｂ又は各小径矯正部６ｃ，６ｃを嵌合することで、第１実施例と同様に、展示用見本５の両端部に嵌合した各見本矯正板６，６が缶商品Ｋの底板及び天板を疑似すると共に、展示用見本５の両端側が材料弾性により扁平状態に復元するのを阻止でき、缶商品Ｋの半円筒周面と対応する曲率半径に展示用見本５全体が矯正されるため、缶商品Ｋと同一又は同等の立体感を醸し出すことができる。
【００３５】
図１１は展示パネル４の垂直展示面４ａに形成した光導入口４ｂの裏面側に支持枠８を接着固定又はネジ固定して、同支持枠８に形成した各差込み溝８ｂ，８ｂに沿って差込み固定する第５実施例の展示用見本５を示し、つまり、展示パネル４の光導入口４ｂに固定した支持枠８の各差込み溝８ｂ，８ｂに、大径サイズ又は小径サイズの缶商品Ｋと対応する曲率半径に展示用見本５を湾曲して前方から差込み、展示パネル４の水平展示面４ｃに形成した各係止突起４ｄ，４ｅ又は各係止溝４ｆ，４ｇに展示用見本５の下端側周縁部を係止する。続いて、展示パネル４の光導入口４ｂに固定した支持枠８の各差込み溝８ｂ，８ｂに見本矯正板６を前方から差込み、予め差込まれた展示用見本５の上端側開口部に見本矯正板６の大径矯正部６ｂ又は小径矯正部６ｃを嵌合することで、第１実施例と同様に、各サイズの缶商品Ｋと対応する曲率半径に展示用見本５を矯正できる。
【００３６】
また、大径サイズ又は小径サイズの缶商品Ｋと対応する曲率半径に展示用見本５を湾曲して差込んだ後、同展示用見本５の両端側開口部に各見本矯正板６，６の大径矯正部６ｂ又は小径矯正部６ｃを嵌合して、各サイズの缶商品Ｋと対応する曲率半径に展示用見本５を矯正するもよい。
【００３７】
この発明の構成と、上述の実施例との対応において、
この発明の商品は、実施例の缶商品Ｋに対応し、
以下同様に、
大径係止部は、係止縁６ｄ及び係止溝６ｇに対応し、
小径係止部は、係止縁６ｅ及び係止溝６ｈに対応するも、
この発明は、上述の実施例の構成のみに限定されるものではない。
【００３８】
上述の実施例では、展示パネル４の光導入口４ｂを長尺寸法に形成しているので、同光導入口４ｂに展示用見本５及び見本矯正板６を差込んだとき上部に空間が形成されるが、例えば、展示パネル４の光導入口４ｂに展示用見本５及び見本矯正板６を差込んだ後、同光導入口４ｂの上部側に透明又は不透明に形成した合成樹脂製の隠蔽板（図示省略）を差込んで隠蔽するもよい。
【００３９】
また、光導入口４ｂの両側縁部に形成した各差込み溝（図示省略）に沿って展示用見本５及び見本矯正板６を差込み固定するもよい。
【図面の簡単な説明】
【図１】自動販売機の展示部を示す正面図。
【図２】第１実施例の展示用見本の陳列状態を示す斜視図。
【図３】展示用見本の陳列状態を示す平面図。
【図４】大径長尺サイズの展示用見本を陳列した状態を示す縦断側面図。
【図５】大径短尺サイズの展示用見本を陳列した状態を示す縦断側面図。
【図６】小径長尺サイズの展示用見本を陳列した状態を示す縦断側面図。
【図７】小径短尺サイズの展示用見本を陳列した状態を示す縦断側面図。
【図８】第２実施例の展示用見本の陳列構造を示す縦断側面図。
【図９】第３実施例の展示用見本の矯正構造を示す縦断側面図。
【図１０】第４実施例の展示用見本の矯正構造を示す縦断側面図。
【図１１】第５実施例の展示用見本の陳列状態を示す横断平面図。
【符号の説明】
Ｋ…缶商品
１…自動販売機
２…販売機本体
３…展示部
４…展示パネル
４ａ…垂直展示面
４ｂ…光導入口
４ｃ…水平展示面
４ｄ，４ｅ…係止突起
４ｆ，４ｇ…係止溝
５…展示用見本
５ａ…見本体
５ｂ…差込み片
６…見本矯正板
６ａ…板本体
６ｂ…大径矯正部
６ｃ…小径矯正部
６ｄ，６ｅ…係止縁
６ｆ…差込み片
６ｇ，６ｈ…係止溝
７…保護カバー
８…支持枠
８ｂ…差込み溝
９…光源
【図１】
0003611357.tif 000002
【図２】
0003611357.tif 000003
【図３】
0003611357.tif 000004
【図４】
0003611357.tif 000005
【図５】
0003611357.tif 000006
【図６】
0003611357.tif 000007
【図７】
0003611357.tif 000008
【図８】
0003611357.tif 000009
【図９】
0003611357.tif 000010
【図１０】
0003611357.tif 000011
【図１１】
0003611357.tif 000012